(57)【要約】【課題】視認性に優れたエレベータの案内情報を乗場待ち客に提供することのできるエレベータの案内情報表示装置を得る。【解決手段】複数のエレベータの中から乗場呼びに応答する到着号機を決定する群管理装置と、乗場における到着号機の乗場ドアと他の乗場ドアとの相対位置に対応した複数組の画像データを格納する画像格納装置と、群管理装置で決定された到着号機の乗場ドアと到着号機を除く乗場ドアとの相対位置に応じて、複数組の画像データの中から１組の画像データを選択して割り当てる表示管理装置と、表示管理装置の割り当て結果に応じた画像データを画像格納装置から取得する号機毎表示制御装置と、号機毎表示制御装置で取得された相対位置を示す画像データと群管理装置で決定された到着号機の番号とを表示する表示装置とを備えた。【選択図】　　　　図１
2004051356.tif 000002
【特許請求の範囲】
【請求項１】
エレベータの乗場に設置された複数の乗場ドアの前でかごの到着を待つ客に対し、前記エレベータの案内情報を表示するエレベータの案内情報表示装置であって、
複数のエレベータの中から乗場呼びに応答する到着号機を決定する群管理装置と、
前記乗場における到着号機の乗場ドアと他の乗場ドアとの相対位置に対応した複数組の画像データを格納する画像格納装置と、
前記群管理装置で決定された到着号機の乗場ドアと前記到着号機を除く乗場ドアとの相対位置に応じて、前記複数組の画像データの中から１組の画像データを選択して割り当てる表示管理装置と、
前記表示管理装置の割り当て結果に応じた画像データを前記画像格納装置から取得する号機毎表示制御装置と、
前記号機毎表示制御装置で取得された前記相対位置を示す画像データと前記群管理装置で決定された前記到着号機の番号とを表示する表示装置と
を備えたことを特徴とするエレベータの案内情報表示装置。
【請求項２】
エレベータの乗場に設置された乗場ドアの前で、乗場呼びに応答したかごの到着を待つ客に対し、前記案内情報を表示するエレベータの案内情報表示装置であって、
前記乗場呼びが発生した階と前記かごとの距離に応じた前記乗場ドアの段階的な戸開情報を示す複数の画像データを格納する画像格納装置と、
前記かごが所定地点に達した時点で、前記複数の画像データの中から前記乗場呼びが発生した階と前記かごとの位置に応じた画像データを取得する号機毎表示制御装置と、
前記号機毎表示制御装置で取得された画像データを表示する表示装置と
を備えたことを特徴とするエレベータの案内情報表示装置。
【請求項３】
前記表示装置は、前記乗場ドアに設置されたことを特徴とする請求項１または請求項２に記載のエレベータの案内情報表示装置。
【発明の詳細な説明】
【０００１】
【発明の属する技術分野】
この発明は、乗場待ち客に対してエレベータの案内情報を報知するエレベータの案内情報表示装置に関するものである。
【０００２】
【従来の技術】
従来より、エレベータの運行情報などを表示して、乗場で待つ客にエレベータの案内情報を報知する装置が提案されている。
【０００３】
例えば、特開平９−２６３３６８号公報に記載された従来のエレベータの案内情報表示装置は、乗場ドアをスクリーンとし、乗場の天井部に設置されたプロジェクタ（投射器）によって乗場ドアにエレベータの運行情報などを映し出すことにより、乗場で待つ客に情報を伝えている。
【０００４】
また、特開平７−５３１５１号公報に記載された従来のエレベータの案内情報表示装置は、複数配置されたエレベータの乗場ドアにそれぞれ異なる画像を表示し、表示画像に応じた到着音を放送して、乗場で待つ客に到着するエレベータの号機を伝えている。
【０００５】
【発明が解決しようとする課題】
従来のエレベータの案内情報表示装置は以上のように、例えば乗場ドアをスクリーンとし、プロジェクタによって運行情報を映し出す場合、プロジェクタと乗場ドアに乗場客が存在することによって投射が阻害されたり、かごが到着して乗場ドアが開いた時に降車客に投射をしてしまうという問題点があった。また、乗場ホールの構造によってプロジェクタの設置スペースや設置場所が制限されるという問題点があった。
【０００６】
また、乗場ドアの表示画像に応じた到着音を放送する場合、聴覚障害者には音によって到着を判別できなく、また、表示画像の変更を行う場合には、到着音も変更しなければならないという問題点があった。
【０００７】
また、エレベータが対面に配置されている場合、それぞれのホールランタンで到着を確認しなければならなく、また、ホールランタンが乗場ドアの上部に設置されている場合、目線の低い客には確認しづらいという問題点があった。
【０００８】
また、乗場ドアが開くことを示す表示が無いため、戸開に気づかないことがあるという問題点があった。
【０００９】
この発明は上記のような問題点を解決するためになされたもので、視認性に優れたエレベータの案内情報を乗場待ち客に提供することのできるエレベータの案内情報表示装置を得ることを目的とする。
【００１０】
【課題を解決するための手段】
この発明に係るエレベータの案内情報表示装置は、エレベータの乗場に設置された複数の乗場ドアの前でかごの到着を待つ客に対し、エレベータの案内情報を表示するものであって、複数のエレベータの中から乗場呼びに応答する到着号機を決定する群管理装置と、乗場における到着号機の乗場ドアと他の乗場ドアとの相対位置に対応した複数組の画像データを格納する画像格納装置と、群管理装置で決定された到着号機の乗場ドアと到着号機を除く乗場ドアとの相対位置に応じて、複数組の画像データの中から１組の画像データを選択して割り当てる表示管理装置と、表示管理装置の割り当て結果に応じた画像データを画像格納装置から取得する号機毎表示制御装置と、号機毎表示制御装置で取得された相対位置を示す画像データと群管理装置で決定された到着号機の番号とを表示する表示装置とを備えたものである。
【００１１】
また、この発明に係るエレベータの案内情報表示装置は、エレベータの乗場に設置された乗場ドアの前で、乗場呼びに応答したかごの到着を待つ客に対し、案内情報を表示するものであって、乗場呼びが発生した階とかごとの距離に応じた乗場ドアの段階的な戸開情報を示す複数の画像データを格納する画像格納装置と、かごが所定地点に達した時点で、複数の画像データの中から乗場呼びが発生した階とかごとの位置に応じた画像データを取得する号機毎表示制御装置と、号機毎表示制御装置で取得された画像データを表示する表示装置とを備えたものである。
【００１２】
さらに、この発明に係るエレベータの案内情報表示装置の表示装置は、乗場ドアに設置されたものである。
【００１３】
【発明の実施の形態】
実施の形態１．
以下、図面を参照しながら、この発明の実施の形態１について詳細に説明する。
【００１４】
図１は、この発明の実施の形態１におけるエレベータの案内情報表示装置を示すブロック構成図であり、図２は、案内情報表示装置を備えたエレベータの縦断面図である。
【００１５】
図１において、エレベータの案内情報表示装置は、複数のエレベータの制御を一括管理し、複数のエレベータの中から乗場呼びに応答するエレベータ（到着号機）を決定する群管理装置１と、到着号機に応じて、エレベータの号機毎の乗場ドアに画像データを割り当てる表示管理装置２と、画像データを格納する画像データベース３と、エレベータの号機毎に用意され、割り当てられた画像データおよび到着号機番号を表示させる号機毎表示制御装置４と、乗場ドアに設置され、画像データを表示する液晶ディスプレイなどの薄型の平面表示板５とにより構成されている。
【００１６】
図２において、液晶ディスプレイ５は、各階の乗場ドア６にはめ込まれており、乗場ドア６と一体化している。液晶ディスプレイ５をはめ込む乗場ドア６は、利用客の多い、例えば１階だけに設置してもよい。
【００１７】
また、はめ込まれる液晶ディスプレイ５は１台でも複数台でもよく、複数台で１つの画像を表示できるようにしたり、別々の画像を表示できるようにしてもよい。
【００１８】
続いて、乗場ドア６に設置された液晶ディスプレイ５の表示内容について説明する。図３は、エレベータの乗場ホールを上部から見た際のエレベータの配置図であり、図４は、この発明の実施の形態１による表示内容を示す説明図であり、図５は、この発明の実施の形態１による画像データベース３の格納画像データを示す説明図である。
【００１９】
図３において、６台のかごが配置され、１号機（＃１）から３号機（＃３）が平面配置されている。また、１号機から３号機の対面に４号機から６号機が平面配置されており、乗場ホールではエレベータを利用する客がかごの到着を待っている。
【００２０】
図４において、例えば２号機のかごが到着する場合、それぞれの乗場ドア６に設置された液晶ディスプレイ５には２号機のかごが到着することを表示する。
【００２１】
２号機の乗場ドア６には、「こちらのエレベータが参ります」の表示や２号機が到着することを示す「２」が表示される。また、１号機および３号機の乗場ドア６には、「２号機が参ります」の文字列や２号機の乗場ドア６の方向を示す矢印が表示される。
【００２２】
１号機から３号機の対面に配置された４号機から６号機の乗場ドア６には、「反対側の２号機が参ります」の文字列や２号機の乗場ドア６の方向を示す矢印が表示される。
【００２３】
以上の内容を表１に示す。液晶ディスプレイ５に表示される内容は、到着号機、到着号機方向、運転方向などが表示される。
【００２４】
【表１】
2004051356.tif 000003
【００２５】
液晶ディスプレイ５に表示される画像データは、幾つかのパターンに分けられており、その画像データは画像データベース３に格納されている。
【００２６】
例えば、図５のように、表示される画像データは、パターンＡからパターンＦまでの６つのパターンが存在する。図４において、パターンＡは、到着号機（例えば２号機）の液晶ディスプレイ５に表示される画像データであり、パターンＢおよびＣは、到着号機に平面配置された号機の液晶ディスプレイ５に表示される画像データである。
【００２７】
また、パターンＤからパターンＦは、到着号機に対面配置された号機の液晶ディスプレイ５に表示される画像データである。
【００２８】
続いて、この発明の実施の形態１による動作について説明する。図６は、この発明の実施の形態１による号機毎表示制御装置４の動作を示すフローチャートである。
【００２９】
各階から乗場呼びがされると、群管理装置１は、各エレベータの動作を管理しており、乗場呼びがあると、その乗場呼びの情報（乗場呼び応答情報）を入力し、乗場呼びされた階へ到着させるかごの号機を決定して、乗場呼びに応答させている。
【００３０】
乗場呼びに応答させる号機（到着号機）が決定すると、その号機番号を表示管理装置２に通知する。表示管理装置２は、到着号機とそれぞれのエレベータとの位置関係に応じて、各エレベータの乗場ドアに表示させる画像データを割り当て、到着号機の号機番号とともに、割り当て結果をそれぞれの号機毎表示制御装置４に通知する。
【００３１】
号機毎表示制御装置は、割り当てられた画像データを画像データベース３から取得し、到着号機の号機番号とともに、画像データを液晶ディスプレイ５に表示させる。
【００３２】
なお、表示パターンは、到着号機に応じてパターン化しており、表示される画像データは、到着号機の位置がそれぞれの乗場ドア６から分かる画像となっている。
【００３３】
例えば、それぞれの液晶ディスプレイ５の表示パターンは、表２のようなパターンで決定されている。表２は、到着号機に対する各号機の液晶ディスプレイ５の表示パターンを示す。
【００３４】
【表２】
2004051356.tif 000004
【００３５】
なお、表２中の「Ａ」〜「Ｆ」は、前述の図４で示した各表示パターンに対応する。
【００３６】
図６において、乗場呼びがない場合、号機毎表示制御装置４は、建物の情報（ビル情報）や広告等の映像情報を表示させる（ステップＳ１０１）。
【００３７】
乗場呼びがあり、表示管理装置２から号機番号と乗場ドア６の表示パターンとが通知されると、乗場呼びに応答したか否かを判定する（ステップＳ１０２）。
【００３８】
ステップＳ１０２において、乗場呼びに応答した場合（すなわち、ＹＥＳ）、画像データベース３に格納された図５のパターンＡの画像データを取得して液晶ディスプレイ５に表示させ（ステップＳ１０３）、図６の処理ルーチンを終了する。
【００３９】
一方、ステップＳ１０２において、乗場呼びに応答しない場合（すなわち、ＮＯ）、他の号機が乗場呼びに応答すると判定し、表示管理装置２から通知された表示パターンがパターンＢからパターンＥの何れかか否かを判定する（ステップＳ１０４〜ステップＳ１０７）。
【００４０】
ステップＳ１０４〜ステップＳ１０７において、表示パターンがパターンＢからパターンＥの何れかの場合、対応する画像データを画像データベース３から取得して液晶ディスプレイ５に表示させ（ステップＳ１０８〜ステップＳ１１１）、図６の処理ルーチンを終了する。
【００４１】
また、表示パターンがパターンＢからパターンＥの何れでもない場合（すなわち、ＮＯ）、パターンＦの画像データを取得して液晶ディスプレイ５に表示させ、図６の処理ルーチンを終了する（ステップＳ１１２）。
【００４２】
このように、エレベータの到着号機などを乗場ドア６にはめ込まれた液晶ディスプレイ５にそれぞれ表示させることにより、エレベータの乗場ドアが複数あっても、それぞれの乗場ドア６から到着号機が判別でき、視認性に優れた到着情報を乗場待ち客に提供することができる。
【００４３】
また、乗場ドア６に表示画面を設置すれば表示面積を広くとることができ、表示画面も目線の高さと同等の位置にあるので、高齢者、子供、車椅子利用者などにも情報が確認しやすい。
【００４４】
また、建物側に液晶ディスプレイ５の設置スペースを確保する必要が無いので、建物側の設置工事も必要ない。
【００４５】
また、乗場呼びが無いときには、到着情報以外の情報を表示させることができ、他の画像データに変更する場合にも、画像データベース３内の画像データを変更するだけで簡単に表示変更が可能となる。
【００４６】
なお、エレベータが対面配置された例について説明したが、一列に平面配置された場合でも、格納された画像データを変更することにより対応することができる。
【００４７】
また、液晶ディスプレイ５に表示させる画像データは、画像データベース３に格納させたが、画像データベース３は、表示管理装置２、号機毎表示制御装置４、液晶ディスプレイ５に格納されていてもよい。
【００４８】
また、表示管理装置２は、群管理装置１や号機毎表示制御装置４に格納されていてもよい。
【００４９】
実施の形態２．
なお、上記実施の形態１では、乗場ドア６にはめ込んだ液晶ディスプレイ５にエレベータのかごの到着情報を表示させたが、さらにかご到着前のドアの戸開情報を表示させてもよい。
【００５０】
図７は、この発明の実施の形態２による乗場ドア６の戸開情報を示す説明図である。図７において、画像データベースに３には、乗場ドア６の戸開情報を示す図７（ａ）〜図７（ｃ）までの画像データが格納されている。
【００５１】
続いて、この発明の実施の形態２による動作について説明する。図８は、この発明の実施の形態２による号機毎表示制御装置４の動作を示すフローチャートである。
【００５２】
図８において、例えば、４階で止まっているかごが１階の乗場呼びに応答し、１階に向けて運行している場合、乗場呼び階の１階に着床する前の所定位置Ｘ（例えば３階）に到着したか否かを判定する（ステップＳ２０１）。
【００５３】
ステップＳ２０１において、所定位置Ｘに到着した場合（すなわち、ＹＥＳ）、図７（ａ）の画像データを画像データベース３から取得し、液晶ディスプレイ５に「まもなく到着します」の文字列が入った画像データを表示させる（ステップＳ２０２）。
【００５４】
また、かごが所定位置Ｘに到着していない場合（すなわち、ＮＯ）、ステップＳ２０１に戻り、所定位置Ｘに到着するまで判定を繰り返す。
【００５５】
続いて、所定位置Ｘから乗場呼び階に近づいた所定位置Ｙ（例えば２階）に到着したか否かを判定する（ステップＳ２０３）。
【００５６】
ステップＳ２０３において、所定位置Ｙに到着した場合（すなわち、ＹＥＳ）、図７（ｂ）の画像データを画像データベース３から取得し、液晶ディスプレイ５に「ドアが開きます」の文字列が入った画像データを表示させる（ステップＳ２０４）。
【００５７】
また、かごが所定位置Ｙに到着していない場合（すなわち、ＮＯ）、ステップＳ２０２に戻り、所定位置Ｙに到着するまで判定を繰り返す。なお、液晶ディスプレイ５には「まもなく到着します」の文字列が入った画像データを表示させたままとする。
【００５８】
続いて、所定位置Ｙから乗場呼び階に近づいた所定位置Ｚ（例えば１階）に到着したか否かを判定する（ステップＳ２０５）。
【００５９】
ステップＳ２０５において、所定位置Ｚに到着した場合（すなわち、ＹＥＳ）、図７（ｃ）のパターンＡからパターンＤまでの画像データをそれぞれ画像データベース３から取得し、所定時間毎にパターンＡからパターンＤまでの画像データを切り替えながら液晶ディスプレイ５に表示させる（ステップＳ２０６）。
【００６０】
また、かごが所定位置Ｚに到着していない場合（すなわち、ＮＯ）、ステップＳ２０４に戻り、所定位置Ｚに到着するまで判定を繰り返す。なお、液晶ディスプレイ５には「ドアが開きます」の文字列が入った画像データを表示させたままとする。
【００６１】
かごが乗場呼び階の１階に到着し、乗場ドア６が開き始めると、液晶ディスプレイ５には、図８（ｄ）のように表示される。
【００６２】
続いて、乗場ドア６が全開したか否かを判定し（ステップＳ２０７）、全開した場合（すなわち、ＹＥＳ）、液晶ディスプレイ５による表示を終了し（ステップＳ２０８）、図８の処理ルーチンを終了する。
【００６３】
また、乗場ドア６が全開していない場合、全開するまで図７（ｃ）の表示を繰り返す。
【００６４】
このように、号機毎表示制御装置４は、到着号機のかごが所定位置を通過し、乗場呼びが発生した階に近づく毎に、画像データベース３から画像データを取得して、液晶ディスプレイ５に表示させる乗場ドア６の戸開情報を示した画像データを切り替える。
【００６５】
このように、乗場ドア６に設置された液晶ディスプレイ５に戸開情報を表示させることにより、乗場ドア６の戸開の動作を確認することができる。
【００６６】
【発明の効果】
以上のように、この発明によれば、エレベータの乗場に設置された複数の乗場ドアの前でかごの到着を待つ客に対し、エレベータの案内情報を表示するエレベータの案内情報表示装置であって、複数のエレベータの中から乗場呼びに応答する到着号機を決定する群管理装置と、乗場における到着号機の乗場ドアと他の乗場ドアとの相対位置に対応した複数組の画像データを格納する画像格納装置と、群管理装置で決定された到着号機の乗場ドアと到着号機を除く乗場ドアとの相対位置に応じて、複数組の画像データの中から１組の画像データを選択して割り当てる表示管理装置と、表示管理装置の割り当て結果に応じた画像データを画像格納装置から取得する号機毎表示制御装置と、号機毎表示制御装置で取得された相対位置を示す画像データと群管理装置で決定された到着号機の番号とを表示する表示装置とを備えたので、エレベータの乗場ドアが複数ある場合でも、到着号機がすぐに判別でき、視認性に優れた到着情報を乗場待ち客に提供することのできるエレベータの案内情報表示装置が得られるという効果がある。
【００６７】
また、この発明によれば、エレベータの乗場に設置された乗場ドアの前で、乗場呼びに応答したかごの到着を待つ客に対し、案内情報を表示するエレベータの案内情報表示装置であって、乗場呼びが発生した階とかごとの距離に応じた乗場ドアの段階的な戸開情報を示す複数の画像データを格納する画像格納装置と、かごが所定地点に達した時点で、複数の画像データの中から乗場呼びが発生した階とかごとの位置に応じた画像データを取得する号機毎表示制御装置と、号機毎表示制御装置で取得された画像データを表示する表示装置とを備えたので、乗場ドアの戸開情報を確認することのできるエレベータの案内情報表示装置が得られるという効果がある。
【００６８】
さらに、この発明によれば、表示装置は、乗場ドアに設置されたので、表示面積を広くとることができ、表示画面も目線の高さと同等の位置にあって情報が確認しやすく、建物側に設置スペースを確保する必要が無いため、建物側の設置工事の必要ないエレベータの案内情報表示装置が得られるという効果がある。
【図面の簡単な説明】
【図１】この発明の実施の形態１におけるエレベータの案内情報表示装置を示すブロック構成図である。
【図２】案内情報表示装置を備えたエレベータの縦断面図である。
【図３】エレベータの乗場ホールを上部から見た際のエレベータの配置図である。
【図４】この発明の実施の形態１による表示内容を示す説明図である。
【図５】この発明の実施の形態１による画像データベースの格納画像データを示す説明図である。
【図６】この発明の実施の形態１による号機毎表示制御装置の動作を示すフローチャートである。
【図７】この発明の実施の形態２による乗場ドアの戸開情報を示す説明図である。
【図８】この発明の実施の形態２による号機毎表示制御装置の動作を示すフローチャートである。
【符号の説明】
１　群管理装置、２　表示管理装置、３　画像データベース、４　号機毎表示制御装置、５　液晶ディスプレイ、６　乗場ドア。
【図１】
2004051356.tif 000005
【図２】
2004051356.tif 000006
【図３】
2004051356.tif 000007
【図４】
2004051356.tif 000008
【図５】
2004051356.tif 000009
【図６】
2004051356.tif 000010
【図７】
2004051356.tif 000011
【図８】
2004051356.tif 000012